(57)【特許請求の範囲】
【請求項１】
吸込口と吹出口が設けられた本体ケーシングと、
上記本体ケーシング内に配置され、上記吸込口から吸い込んだ空気を上記吹出口から前方に吹き出す送風ファンと、
上記本体ケーシング内に取り付けられ、上記吸込口から吸い込んだ空気中にイオンを発生させるイオン発生素子と、
上記本体ケーシングの吹出口に設けられ、水平面に対する傾斜角が夫々固定された長手方向を水平方向とする複数の羽根が形成されたルーバーと
を備え、
上記本体ケーシングは、室内の一側壁である取り付け側壁の上側に設置され、
上記ルーバーは、中央部とその他の部分に区分されて形成されており、
上記複数の羽根のうち、上記ルーバーの中央部の羽根が、上記中央部以外の側部の羽根よりも上記水平面に対する傾斜角が大きくかつ前方斜め下方向に向かって傾斜して、
上記ルーバーの中央部の羽根は、上下方向に所定の間隔をあけて少なくとも２段に配置され、その羽根のうちの上段側が下段側よりも上記水平面に対する傾斜角が大きいことを特徴とするイオン発生装置。
【請求項２】
請求項１に記載のイオン発生装置において、
上記ルーバーの中央部から吹き出す空気は、上記室内の略中央部側に向かって吹き出す一方、上記ルーバーの側部から吹き出す空気は、前方に向かって吹き出して主に上記取り付け側壁に隣接する側壁および上記取り付け側壁に対向する側壁に沿って下側に流れて上記本体ケーシングの上記吸込口に吸い込まれることを特徴とするイオン発生装置。
【発明の詳細な説明】
【技術分野】
【０００１】
この発明は、高所取付用イオン発生装置に関する。
【背景技術】
【０００２】
従来、空気調和機としては、除菌イオンを吹き出す吹出口に、角度が固定された複数の水平羽根からなる固定式ルーバーを設けたものがある(例えば、特開昭６２−２００１３２号公報(特許文献１)参照)。
【０００３】
上記従来の空気調和機等で調和された空気を吹き出す吹出口には、気流方向が使用者の望む方向に可変できる可動式ルーバーや固定式であっても設定が変えられるルーバーを用いるのが一般的であった。
【０００４】
可動ルーバーあるいは可変ルーバーを採用するためには、部品が複数必要になる、そのための金型が複数必要になる、可変構造とするため構造が複雑になる、生産組立工程が増える、コストが高くなるなど多くの問題が発生する。
【０００５】
また高所取付用の空気調和機では、折角可動式または設定可変式のルーバー構造を採用しても装置を取り付けた後は簡単にルーバー角度を変更することができないため、装置に掛けたコストがムダになるといった問題があった。
【０００６】
上記の問題を避けて敢えて固定式ルーバーを採用した場合、空気調和機が室内の壁面に取り付けられた状態では、固定式ルーバーにより吹出口から一方向に調和空気が吹き出して、コアンダ効果により吹き出し空気が主に壁面に沿って流れる。このため、上記構造の吹出口を使用した空気調和機にイオン発生素子を搭載した場合では、室内の中央部分のイオン濃度が他の部分よりも低くなってしまうので、室内全体に均一にイオンを供給することができないという問題がある。
【０００７】
除菌を目的としてイオン発生装置を導入する場合、特に、上記イオン発生装置をトイレなどに設置する場合では、主に人や便器がある室内の中央部を除菌する必要がある。
【特許文献１】特開昭６２−２００１３２号公報
【発明の開示】
【発明が解決しようとする課題】
【０００８】
そこで、この発明の課題は、装置の構造を複雑にすることなく、また無駄な金型等を起こす必要がなく、簡単な構造で室内中央部のイオン濃度低下を防止して、室内全体にイオンを均一に供給できるイオン発生装置を提供することにある。
【課題を解決するための手段】
【０００９】
上記課題を解決するため、この発明のイオン発生装置は、
吸込口と吹出口が設けられた本体ケーシングと、
上記本体ケーシング内に配置され、上記吸込口から吸い込んだ空気を上記吹出口から前方に吹き出す送風ファンと、
上記本体ケーシング内に取り付けられ、上記吸込口から吸い込んだ空気中にイオンを発生させるイオン発生素子と、
上記本体ケーシングの吹出口に設けられ、水平面に対する傾斜角が夫々固定された長手方向を水平方向とする複数の羽根が形成されたルーバーと
を備え、
上記本体ケーシングは、室内の一側壁である取り付け側壁の上側に設置され、
上記ルーバーは、中央部とその他の部分に区分されて形成されており、
上記複数の羽根のうち、上記ルーバーの中央部の羽根が、上記中央部以外の側部の羽根よりも上記水平面に対する傾斜角が大きくかつ前方斜め下方向に向かって傾斜して、
上記ルーバーの中央部の羽根は、上下方向に所定の間隔をあけて少なくとも２段に配置され、その羽根のうちの上段側が下段側よりも上記水平面に対する傾斜角が大きいことを特徴とする。
【００１０】
ここで、送風ファンは、ファンモータを含むものとする。
【００１１】
上記構成のイオン発生装置によれば、本体ケーシングの吹出口に設けられたルーバーの複数の羽根が水平面に対する傾斜角が夫々固定され、その複数の羽根のうち、ルーバーの中央部の羽根が、その中央部以外の側部の羽根よりも水平面に対する傾斜角が大きくかつ前方斜め下方向に向かって傾斜していることによって、ルーバーの中央部から吹き出す空気は、室内の略中央部側に向かって吹き出す。このイオン発生装置が室内の一側壁に設置された状態では、ルーバーの中央部から吹き出す空気は、室内の略中央部側に向かって吹き出す一方、ルーバーの側部から前方に向かって吹き出した空気は、主に取り付け側壁に隣接する側壁および取り付け側壁に対向する側壁に沿って下側に流れて本体ケーシングの吸込口に戻ることになる。これにより、装置の構造を複雑にすることなく、また無駄な金型等を起こすことなく、簡単な構造で室内中央部のイオン濃度低下を防止して、室内全体にイオンを均一に供給できる。なお、トイレなどに設置する場合は、人や便器がある室内の中央部を除菌するのに特に効果がある。
【００１２】
【００１３】
また、上記ルーバーの中央部の羽根は、上下方向に所定の間隔をあけて少なくとも２段に配置され、その羽根のうちの上段側の水平面に対する傾斜角を下段側の水平面に対する傾斜角よりも大きくすることにより、ルーバーの中央部から吹き出す空気が、上段側の羽根と下段側の羽根により形成された先細り流路により絞られて、ルーバーの側部よりも風速が速くなるため、室内の略中央部側に到達しやすくなる。これにより、室内中央部のイオン濃度低下を効果的に防止できる。
【００１４】
また、一実施形態のイオン発生装置では、室内の一側壁である取り付け側壁の上側に設置されたときに、上記ルーバーの中央部から吹き出す空気は、上記室内の略中央部側に向かって吹き出す一方、上記ルーバーの側部から吹き出す空気は、前方に向かって吹き出して主に上記取り付け側壁に隣接する側壁および上記取り付け側壁に対向する側壁に沿って下側に流れて上記本体ケーシングの上記吸込口に吸い込まれる。
【００１５】
上記実施形態によれば、室内の一側壁である取り付け側壁の上側に設置されたときに、ルーバーの中央部から吹き出す空気は、室内の略中央部側に向かって吹き出すことにより、室内の略中央部側にイオンを含む空気を供給して、室内中央部のイオン濃度低下を防止する一方、ルーバーの側部から吹き出す空気は、前方に向かって吹き出して主に取り付け側壁に隣接する側壁および取り付け側壁に対向する側壁に沿って下側に流れて本体ケーシングの吸込口に吸い込まれる。これにより、室内全体に効果的にイオンを均一に供給できる。
【発明の効果】
【００１６】
以上より明らかなように、この発明のイオン発生装置によれば、装置の構造を複雑にすることなく、また無駄な金型等を起こすことなく、簡単な構造で室内中央部のイオン濃度低下を防止して、室内全体にイオンを均一に供給できるイオン発生装置を実現することができる。
【発明を実施するための最良の形態】
【００１７】
以下、この発明のイオン発生装置を図示の実施の形態により詳細に説明する。
【００１８】
図１はこの発明の実施の一形態のイオン発生装置のフロントパネルを外した状態の斜視図である。このイオン発生装置は、空気中でプラズマ放電により発生させた正イオンと負イオンを放出してトイレや厨房などの室内の除菌を行う。
【００１９】
この実施の形態のイオン発生装置は、図１に示すように、前面側に設けられた吸込口１aと前面側上部に設けられた吹出口１bを有する樹脂製の本体ケーシング１と、上記本体ケーシング１の前面側に取り付けられる樹脂製のフロントパネル２と、上記本体ケーシング１内に配置された送風ファン２０とを備えている。上記イオン発生装置は、背面側が室内の壁に接するように設置される。
【００２０】
上記本体ケーシング１内に、送風ファン２０により吸込口１aから吸い込んだ空気を吹出口１bから吹き出すための送風経路(図示せず)を形成している。上記本体ケーシング１の吸込口１aにフィルタ(図示せず)を固定するフィルタ固定部材１２を取り付けている。このフィルタ固定部材１２は、本体ケーシング１の吸込口１aに設けられた枠との間にフィルタを挟んで固定する。上記本体ケーシング１の吹出口１bに、複数の水平羽根が形成されたルーバー１６を取り付けている。上記ルーバー１６は、樹脂により一体に成形されており、本体ケーシング１の上側に取り付けられている。
【００２１】
また、上記フロントパネル２は、本体ケーシング１の前面側を覆う前面カバー部２aと、上記前面カバー部２aの下端から屈曲して後面側に延びる下面カバー部２bと、上記前面カバー部２aの上端から屈曲して後面側に延びる上面カバー部２cと、前面カバー部２aと下面カバー部２bおよび上面カバー部２cの側面側を覆う側面カバー部２dとを有する。上記前面カバー部２aの上側に、本体ケーシング１の吹出口１bに対向する開口部１７を設けている。
【００２２】
上記本体ケーシング１かつフロントパネル２に覆われた位置にイオン発生素子１０を取り付けている。
【００２３】
なお、上記本体ケーシング１の下側かつ両側面に設けられたフロントパネル用保持部１４に、フロントパネル２の側面カバー２dの下側に設けられた軸部１８を回動自在に取り付けた後、フロントパネル２を本体ケーシング１に固定する。上記フロントパネル２は、本体ケーシング１に専用工具を用いて取り付ける。この状態で、本体ケーシング１側の電源押ボタン１５がフロントパネル２の背面により押されて、電源オンの状態となる。これにより、フロントパネル２を外すようなメンテナンスなどの終了時に、電源スイッチの入れ忘れを防止できる。また、フロントパネル２を外した状態では、自動的に電源オフとなるので、安全性が向上する。
【００２４】
また、図２は上記イオン発生装置のフロントパネル２を取り付けた状態を示す斜視図を示している。図２において、図１と同一の構成部には同一参照番号を付している。
【００２５】
図２に示すように、図１に示すイオン発生素子１０は、フロントパネル２により覆われている。ここで、フロントパネル２は、専用工具を用いて本体ケーシング１に取り付け固定されているので、ユーザーがフロントパネル２を外して、イオン発生素子１０に触れることは容易にできない。
【００２６】
図３Ａは上記イオン発生装置のルーバー１６の上面図を示し、図３Ｂはルーバー１６の正面図を示し、図３Ｃはルーバー１６の裏面図を示している。
【００２７】
上記ルーバー１６は、図３Ａ〜図３Ｃに示すように、横長の略長方形状の筒部５０と、上記筒部５０の外周に設けられたフランジ部５１と、筒部５０内側に設けられた複数の水平羽根３１,３２,４１,４２とを有している。上記筒部５０は、長手方向の寸法に比べて奥行きが短い。図３Ｂに示すように、両側部４０,４０の水平羽根４１,４２は、左右対称の形状である。図３Ｂにおいて、５２は複数の水平羽根３１,３２,４１,４２を夫々支持する支持部である。
【００２８】
次に、図４Ａは上記イオン発生装置のルーバー１６の側面図を示し、図４Ｂは図３ＢのIVB−IVB線から見たルーバー１６の断面図を示し、図４Ｃは図３ＢのIVC−IVC線から見たルーバー１６の断面図を示している。
【００２９】
図４Ａに示すように、ルーバー１６の筒部５０は、フランジ部５１よりも前面側の開口の縁５１aを含む平面は、上側が後面側に向かって傾いている。これに対して、筒部５０のフランジ部５１よりも後面側の開口の縁５１bを含む平面は、フランジ部５１と略平行である。上記ルーバー１６の筒部５０のうちの後面側が、本体ケーシング１の吹出口１bに挿入された後、ルーバー１６のフランジ部５１が本体ケーシング１の吹出口１bの外縁に当接して位置決めされる。こうして、上記ルーバー１６が本体ケーシング１にネジを用いて固定される。
【００３０】
図４Ｂ,図４Ｃに示すように、ルーバー１６の複数の水平羽根のうち、中央部３０の水平羽根３１,３２が、両側部４０,４０の水平羽根４１,４２よりも前方斜め下方向に傾斜している(水平羽根４１,４２は略水平)。
【００３１】
図３Ｂに示すルーバー１６の中央部３０の水平羽根３１,３２は、図４Ｂに示すように、上下方向に所定の間隔をあけて２段に配置されている。その２つの水平羽根３１,３２のうちの上段側の水平羽根３２の水平面に対する傾斜角θ2が下段側の水平羽根３１の水平面に対する傾斜角θ1よりも大きい。
【００３２】
また、図３Ｂに示すルーバー１６の側部４０,４０の水平羽根４１,４２は、図４Ｃに示すように、ルーバー１６の中央部３０の下段側の水平羽根３１の水平面に対する傾斜角θ1よりも小さく、ほぼ水平である。
【００３３】
図５は室内に設置された上記イオン発生装置１００の風の流れを説明するための模式図を示している。
【００３４】
上記構成のイオン発生装置１００が室内の一側壁である取り付け側壁１０１の上側に設置されたときに、本体ケーシング１の吹出口１bの中央部３０(図３Ａに示す)から吹き出す空気は、室内の略中央部側(図５の領域Ｓ)に向かって吹き出す。一方、本体ケーシング１の吹出口１bの側部４０,４０(図３Ａに示す)から吹き出す空気流は、前方に向かって吹き出して主に取り付け側壁１０１に隣接する側壁１０２および取り付け側壁１０１に対向する側壁１０３に沿って下側に流れて本体ケーシング１の吸込口１a(図１に示す)に吸い込まれる。
【００３５】
上記構成のイオン発生装置によれば、本体ケーシング１の吹出口１bに設けられたルーバー１６の複数の水平羽根３１,３２,４１,４２が水平面に対する傾斜角が夫々固定され、その複数の水平羽根３１,３２,４１,４２のうち、吹出口１bの中央部３０の水平羽根３１,３２が、側部４０,４０の水平羽根４１,４２よりも水平面に対する傾斜角が大きくかつ前方斜め下方向に向かって傾斜していることによって、ルーバー１６の中央部３０から吹き出す空気は、室内の略中央部側に向かって吹き出すので、室内中央部のイオン濃度低下を防止して、室内全体にイオンを均一に供給することができる。
【００３６】
また、上記ルーバー１６の中央部の水平羽根３１,３２は、上下方向に所定の間隔をあけて少なくとも２段に配置され、その２つの水平羽根３１,３２のうちの上段側を下段側よりも水平面に対する傾斜角が大きくすることにより、ルーバー１６の中央部３０から吹き出す空気が、上段側の水平羽根３２と下段側の水平羽根３１により形成された先細り流路により絞られて、ルーバー１６の側部４０,４０よりも風速が速くなるため、室内の略中央部側に到達しやすくなる。これにより、室内中央部のイオン濃度の低下を効果的に防止することができる。
【００３７】
また、図５に示すように、イオン発生装置１００が室内の一側壁である取り付け側壁１０１の上側に設置されたときに、ルーバー１６の中央部３０から吹き出す空気は、室内の略中央部側に向かって吹き出すことにより、室内の略中央部側にイオンを含む空気を供給して、室内中央部のイオン濃度低下を防止する一方、ルーバー１６の側部４０,４０から吹き出す空気流は、前方に向かって吹き出して主に取り付け側壁１００に隣接する側壁１０２,１０２および取り付け側壁１０１に対向する側壁１０３に沿って下側に流れて本体ケーシング１の吸込口１aに吸い込まれる。これにより、室内全体に効果的にイオンを均一に供給できる。
【００３８】
上記実施の形態では、背面側が室内の壁に接するように設置されるイオン発生装置について説明したが、イオン発生装置の形態はこれに限らず、棚などに載置する形態のイオン発生装置でもよく、他の装置に内蔵されたイオン発生装置にこの発明を適用してもよい。
【００３９】
この発明の具体的な実施の形態について説明したが、この発明は上記実施の形態に限定されるものではなく、この発明の範囲内で種々変更して実施することができる。
【図面の簡単な説明】
【００４０】
【図１】図１はこの発明の実施の一形態のイオン発生装置のフロントパネルを外した状態の斜視図である。
【図２】図２は上記イオン発生装置のフロントパネルを取り付けた状態を示す斜視図である。
【図３Ａ】図３Ａは上記イオン発生装置のルーバーの上面図である。
【図３Ｂ】図３Ｂは上記イオン発生装置のルーバーの正面図である。
【図３Ｃ】図３Ｃは上記イオン発生装置のルーバーの裏面図である。
【図４Ａ】図４Ａは上記イオン発生装置のルーバーの側面図である。
【図４Ｂ】図４Ｂは図３ＢのIVB−IVB線から見たルーバーの断面図である。
【図４Ｃ】図４Ｃは図３ＢのIVC−IVC線から見たルーバーの断面図である。
【図５】図５は室内に設置された上記イオン発生装置の風の流れを説明するための模式図である。
【符号の説明】
【００４１】
１…本体ケーシング
１a…吸込口
１b…吹出口
２…フロントパネル
２a…前面カバー部
２b…上面カバー部
２c…下面カバー部
２d…側面カバー部
１０…イオン発生素子
１１…回転体
１２…フィルタ固定部材
１３…仕切板
１４…フロントパネル用保持部
１５…電源押ボタン
１６…ルーバー
１７…開口部
１８…軸部
３０…中央部
３１,３２…水平羽根
４０…側部
４１,４２…水平羽根
５０…筒部
５１…フランジ部
５２…支持部
１００…イオン発生装置
【図１】
0005147509.tif 000002
【図２】
0005147509.tif 000003
【図３Ａ】
0005147509.tif 000004
【図３Ｂ】
0005147509.tif 000005
【図３Ｃ】
0005147509.tif 000006
【図４Ａ】
0005147509.tif 000007
【図４Ｂ】
0005147509.tif 000008
【図４Ｃ】
0005147509.tif 000009
【図５】
0005147509.tif 000010